(57)【要約】      （修正有）【課題】全方向に揺動可能で、表裏方向にも弾性的に変位するノーズパッドを提供する。【解決手段】板状をなした軟質合成樹脂製のノーズパッド本体１の裏面２の対向した両端近傍から、内側に向かって軟質合成樹脂製で略逆Ｊ形を呈した脚部３を一体的に植設し、対向した前記脚部の自由端同士を水平腕材８で一体的に連結し、水平腕材の中央上面にボックス１０を連結するためのボックス結合ブロック１１を一体的に形成した。【選択図】図１
0003208475.tif 000002
【実用新案登録請求の範囲】
【請求項１】
板状をなした軟質合成樹脂製のノーズパッド本体の裏面の対向した両端近傍から、内側に向かって軟質合成樹脂製で略逆Ｊ形を呈した脚部が一体的に植設されており、対向した前記脚部の自由端同士は水平腕材で一体的に連結されており、該水平腕材の中央上面にはボックス連結用ブロックが一体的に形成されていることを特徴とするノーズパッド。
【考案の詳細な説明】
【技術分野】
【０００１】
この考案はメガネフレームの構成部品の一つであるノースパッド、詳しくはフィット性にすぐれたノーズパッドに関するものである。
【背景技術】
【０００２】
ノーズパッドはメガネフレームをメガネ装用者の顔面に固定する為のメガネフレームの構成部品であり、このノーズパッドが不適切なものであるときは、メガネフレームのズレ落ちなどが生じ、装着感を著しく損ない、視力矯正にも悪影響をもたらすことになる。
【先行技術文献】
【特許文献】
【０００３】
【特許文献１】特開平１０−１７０８７１
【非特許文献】
【０００４】
【非特許文献１】なし
【考案の概要】
【考案が解決しようとする課題】
【０００５】
ノーズパッドがその機能を発揮する為には、それ自体適当な柔軟性と弾力性を有すると共に、メガネフレーム本体から植設されたノーズパッド取付足に対して全方向に自由に揺動出来、一人として同じでないメガネ装着者の鼻梁に正しくフィットさせられることが必要であるが、この要求に応えられる低コストのノーズパッドはなかなか見当たらなかった。
【０００６】
そこで、本考案者は特開平１０−１７０８７１として、ノーズパッド取付足に対して全方向に自由に揺動出来る、低コストで量産向きのノーズパッドを提案し、製品化にも成功し、好評を得ているが、このノーズパッドにおいても変位自由度において問題が残っていた。
【０００７】
即ち、この特開平１０−１７０８７１において提案したノーズパッドは、ノーズパッド取付足に対して全方向に揺動出来るが、表裏方向への弾性的な変位は揺動ほどスムーズに行う事は出来なかった。
つまり、このノーズパッドにおいては、一対の突起部材がアーム状の梁部材で一体的に連結せしめられていたので、このノーズパッドに表裏方向に圧力がかかった場合、アーチ状の梁部材は構造力学上のアーチを構成し、梁部材はこれに加わる圧縮力に抗してその位置を保持しようと突っ張るので、ノーズパッドの表裏方向への弾性的な変位は、揺動ほどスムーズに行えなかったのである。
【０００８】
本考案者は、全方向への揺動をスムーズに行えるだけではなく、表裏方向への弾性的な変位もスムーズに行え、フィット性が更に高まったノーズパッドを実現すべく研究を行った結果、低コストにもかかわらず、これらを実現出来た新しいノーズパッドを開発することに成功し、本考案としてここに提案するものである。
【課題を解決するための手段】
【０００９】
板状をなした軟質合成樹脂製のノーズパッド本体の裏面の対向した両端近傍から、内側に向かって軟質合成樹脂製で略逆Ｊ形を呈した脚部が一体的に植設されており、対向した前記脚部の自由端同士は水平腕材で一体的に連結されており、該水平腕材の中央上面にはボックス連結用ブロックが一体的に形成されているノーズパッドにより、上記課題を解決した。
【考案の効果】
【００１０】
図２に示す様に、水平腕部のボックス結合ブロックをノーズパッド取付足のボックスに挿入結合して使用に供するものであり、ノーズパッド本体の裏面から植設されている脚部は略逆Ｊ字形に形成されているので、ノーズパッド本体は上下左右あらゆる方向に自由に揺動するだけではなく、脚部の一端は自由端となっており、脚部は構造力学上のアーチ構造にはなっていないので、矢印×で示した表裏方向にも弾性的に変位し、千差万別一人として同じではないメガネ装用者の鼻梁にノーズパッド本体を程よくフィットさせ、メガネフレームのずり落ちを生じさせることなく、正しくメガネフレームを保持させられるすぐれた効果を有する。又、外観も洗練されており、製造も容易で、耐久性に富み、極めて高い実用性を有する。
【図面の簡単な説明】
【００１１】
【図１】この考案に係るノーズパッドの一実施例の斜視図。
【図２】同じく、メガネフレームのノーズパッド取付足のボックスに取付けた状態の斜視図。
【図３】同じく、他の実施例の斜視図。
【考案を実施するための形態】
【００１２】
板状をなした軟質合成樹脂製のノーズパッド本体の裏面の対向した両端近傍から、内側に向かって軟質合成樹脂製で略逆Ｊ形を呈した脚部を一体的に植設し、対向した前記脚部の自由端同士を水平腕材で一体的に連結し、該水平腕材の中央上面にボックス連結用ブロックを一体的に形成した点に最大の特徴が存する。
【実施例】
【００１３】
図１はこの考案に係るノーズパッドの一実施例の斜視図であり、図中１は軟質合成樹脂製のノーズパッド本体であり、板状をなしている。
そして、このノーズパッド本体１の裏面２で対向した両端近傍からは内側に向かって、軟質合成樹脂製で略逆Ｊ形を呈した脚部３，３がそれぞれ一体的に植設されている。
【００１４】
この略逆Ｊ形を呈した脚部３は図示の通り、その頂部５から振分け状に基部４と折り返し部６とが延びているが、折り返し部６は基部４より短く、ほぼその半分の長さである。そして、折り返し部６の自由端７，７同士は水平腕材８で連結されており、この水平腕材８の中央上面には、図示を省略したメガネフレームから延設されているノーズパッド取付足９の先端に設けられたボックス１０へ結合されるボックス結合ブロック１１が一体的に取り付けられている。図中１２及び１３はボックス１０とボックス結合ブロック１１との結合の際に用いる貫通孔である。
【００１５】
なお、ボックス１０とノーズパッド取付足９の先端との結合には色々なタイプのものが存在しており、図３に示す様に、ボックス結合ブロック１１の対向した側面にスリット１４を設け、このスリット１４をノーズパッド取付足の先端に設けられた挟持片で挟む様にしても良い。
【００１６】
ノーズパッド本体１、脚部３，水平腕材８，ボックス結合ブロック１１はすべて軟質合成樹脂製により一体的に形成されているが、弾力性、柔軟性の点からポリエステルやポリエチレンなどの軟質エラストマーが好適に使用される。
【００１７】
この実施例は上記の通りの構成を有するものでり、図２に示す様に、水平腕部８のボックス結合ブロック１１をノーズパッド取付足９のボックス１０に挿入結合して使用に供するものであり、ノーズパッド本体１の裏面から植設されている脚部３は略逆Ｊ字形に形成されているので、ノーズパッド本体１は上下左右あらゆる方向に自由に揺動するだけではなく、脚部３の一端は自由端となっており、脚部３は構造力学上のアーチ構造にはなっていないので、矢印×で示した表裏方向にも弾性的に変位し、千差万別一人として同じではないメガネ装用者の鼻梁にノーズパッド本体１を程よくフィットさせ、メガネフレームのずり落ちを生じさせることなく、正しくメガネフレームを保持させられるすぐれた効果を有する。又、外観も洗練されており、製造も容易で、耐久性に富み、極めて高い実用性を有する。
【産業上の利用可能性】
【００１８】
視力矯正用のメガネフレームだけではなく、サングラスや作業用保護メガネなど、ノーズパッドによって鼻梁に保持させるすべてのメガネフレームに用いることが出来る。
【符号の説明】
【００１９】
１．ノーズパッド本体
２．裏面
３．脚部
４．基部
５．頂部
６．折り返し部
７．自由端
８．水平腕材
９．ノーズパッド取付足
１０．ボックス
１１．ボックス結合ブロック
１２．貫通孔
１３．貫通孔
１４．スリット
【図１】
0003208475.tif 000003
【図２】
0003208475.tif 000004
【図３】
0003208475.tif 000005